(57)【要約】【課題】  遊技機の勝率を制御するＲＯＭ等の不正操作を防止するため裏側カバーを施錠することのできる施錠装置を提供する。【解決手段】  底壁部材１６とこれに直交する４つの側壁部材を有し、側壁部材の後端縁が開口部となるケース本体１８と、ケース本体の開口部を塞ぐ蓋体１９とからなり、ケース本体の開口部を形成する対向する一対の平行な側壁部材に掛け金との掛合用スリット２０、２０がそれぞれ穿設され、底壁部材１６には、遊技機の前面枠の裏側に設けられた裏側カバー押さえ止め具の挿通用孔２２が穿設されており、蓋体の錠取着用板部２３に取着されたシリンダー錠２４の錠軸２４ａが蓋体の内側に突出し、錠軸に掛け金２５が固定されてなる。【選択図】  図２
0003111663.tif 000002
【実用新案登録請求の範囲】
【請求項１】
遊技機の前面枠裏側に配設された裏側カバーを施錠する施錠装置であって、
底壁部材とこれに直交する側壁部材を有するケース本体と、該ケース本体の蓋体とからなり、
前記ケース本体の側壁部材には一対の掛け金との掛合用スリットが対向して穿設され、底壁部材には、遊技機の前面枠の裏側に回動可能に軸支された裏側カバー押さえ止め具を挿通する挿通用孔が穿設されており、
前記蓋体の内側に、蓋体の錠取着用板部に取着されたシリンダー錠の錠軸が突出し、該錠軸に掛け金が固定されてなることを特徴とする遊技機の裏側カバーの施錠装置。
【請求項２】
前記ケース本体は、互いに直交する４つの側壁部材からなり、このうち一対の対向する側壁部材に掛け金との掛合用スリットがそれぞれ穿設されてなるものであることを特徴とする請求項１記載の遊技機の裏側カバーの施錠装置。
【請求項３】
前記ケース本体の挿通用孔が、遊技機の前面枠の裏側に設けられたバタフライ状の裏側カバー押さえ止め具を挿通させる形状に形成されてなることを特徴とする請求項１または２記載の遊技機の裏側カバーの施錠装置。
【請求項４】
前記ケース本体の底壁部材に、裏側カバーに突出形成された裏側カバー押さえ止め具の回動規制用ストッパーを遊嵌する遊嵌孔が穿設されてなることを特徴とする請求項１、２または３記載の遊技機の裏側カバーの施錠装置。
【請求項５】
前記ケース本体は、裏側カバーに形成された凹状段部に装着できるサイズに設定されてなることを特徴とする請求項１、２、３または４記載の遊技機の裏側カバーの施錠装置。
【考案の詳細な説明】
【技術分野】
【０００１】
この考案は、遊技機の裏側カバーの施錠装置に関するものである。さらに詳しくは、この考案は、パチンコ、パチスロ、スロットマシン、スマートボール、アレンジボールに例示される遊技機への不正操作を防止するための裏側カバーを施錠するための施錠装置に関するものである。
【背景技術】
【０００２】
パチンコ機等の遊技機の前面枠は、一端が蝶番で本体枠に固定され、他端は自由端として本体枠に対し回動可能となっており、前面枠の背面の自由端側に本体枠との施錠を可能とする前面枠用の施錠装置が設けられている（例えば、特許文献１参照。）
【特許文献１】特開２００２−５８８４６号公報（第７頁、第１図）
【考案の開示】
【考案が解決しようとする課題】
【０００３】
特許文献１に記載の前面枠用の施錠装置は、例えば、前面枠と本体枠との間の僅かな間隙から、先端にフックが形成された帯状で薄い鋼板や先端が折り曲げられてフックが形成されたピアノ線のような不正操作具を挿入し、施錠装置の鉤部にフックを係止させ、施錠装置を解錠し、前面枠を本体枠から開放させ、前面枠の裏側に配設された機器や部品を改変したり、遊技機の勝率を制御するＲＯＭを勝率の高い裏ＲＯＭと交換する等の不正操作を防止しようとするものである。
特許文献１に記載の前面枠用の施錠装置は、前記したようなフックを有する操作具を用いた遊技機への不正操作に対しては有効であるが、不正に入手した合い鍵等が使用された場合には、十分とはいえない。
【０００４】
そこで、前面枠用の施錠装置による遊技機への不正操作を防止することに加え、遊技機の前面枠の裏側に配設された機器や部品のうち、例えば、遊技機の勝率を制御するＲＯＭを備えた制御基板をケースに入れ、これを封止シールで封止し、封止シールを破損しない限りケースを開けることができないようにし、封止シールが破損されていれば、不正操作がなされたことが分かるようにしたり、機器や部品を覆う裏側カバーを設け、同様に、封止シールで封止し、封止シールを破損しない限り裏側カバーを開けることができないようにし、封止シールの破損がある場合は、不正操作がなされたことが容易に分かるようにすることが行われている。
しかしながら、不正目的で封止シールが剥がされ、不正操作が行われ、封止シールと同種のシールや類似したシールが貼り直されたりすると、不正操作が行われた遊技機を見出すことは困難である。また、封止シールでは、遊技機の検査時や故障時の部品の交換等に際し、封止を剥がし、その後、新たな封止シールで封止し直さねばならないこと等から面倒である。
【０００５】
この考案は、上記のような実情に鑑み鋭意研究の結果創案されたものであり、遊技機の前面枠の裏側に配設された機器や部品への不正操作を確実にかつ簡便に防止すること、より具体的には、遊技機への不正操作を防止するため裏側カバーを施錠することのできる施錠装置を提供することを目的としている。
【課題を解決するための手段】
【０００６】
上記課題を解決するために、この考案は、（ｉ）遊技機の前面枠裏側に配設された裏側カバーを施錠する施錠装置であって、底壁部材とこれに直交する側壁部材を有するケース本体と、該ケース本体の蓋体とからなり、前記ケース本体の側壁部材には一対の掛け金との掛合用スリットが対向して穿設され、底壁部材には、遊技機の前面枠の裏側に回動可能に軸支された裏側カバー押さえ止め具を挿通する挿通用孔が穿設されており、前記蓋体の内側に、蓋体の錠取着用板部に取着されたシリンダー錠の錠軸が突出し、該錠軸に掛け金が固定されてなることを特徴とする。
【０００７】
（ｉｉ）前記（ｉ）において、前記ケース本体は、互いに直交する４つの側壁部材からなり、このうち一対の対向する側壁部材に掛け金との掛合用スリットがそれぞれ穿設されてなるものであることが好ましい。
（ｉｉｉ）前記（ｉ）または（ｉｉ）において、前記ケース本体の挿通用孔が、遊技機の前面枠の裏側に設けられたバタフライ状の裏側カバー押さえ止め具を挿通させる形状に形成されてなることが好ましい。
（ｉｖ）前記（ｉ）〜（ｉｉｉ）のいずれかにおいて、前記ケース本体の底壁部材に、裏側カバーに突出形成された裏側カバー押さえ止め具の回動規制用ストッパーを遊嵌する遊嵌孔が穿設されてなることが好ましい。
（ｖ）前記（ｉ）〜（ｉｖ）のいずれかにおいて、前記ケース本体は、裏側カバーに形成された凹状段部に装着できるサイズに設定されてなることが好ましい。
【考案の効果】
【０００８】
この考案は、以上説明したように構成されているので、以下に記載されるような効果を奏する。
すなわち、この考案の施錠装置によれば、前面枠に対し裏側カバーを閉止し、前面枠の裏側に設けられた裏側カバー押さえ止め具を、裏側カバーの挿通用孔に挿通した段階において、ケース本体の底壁部材に穿設された挿通用孔に挿通し、次に、裏側カバー押さえ止め具を支軸を中心に止着位置にまで回動することで、ケース本体が前面枠に裏側カバーを介して止着された状態となる。そして、ケース本体を蓋体で塞ぎ、シリンダー錠のキーを施錠方向に操作すると、掛け金が前記シリンダー錠の錠軸を中心として回動して、掛合用スリットに掛合し、蓋体がケース本体に施錠される。その結果、前面枠に設けられた裏側カバー押さえ止め具は、ケース本体、蓋体で囲まれたことになり、裏側カバー押さえ止め具にアクセスすることができず、遊技機の背面に配設された機器や部品への不正操作は、シリンダー錠の解錠操作を行なって、蓋体をケース本体から取り外し、さらに、裏側カバー押さえ止め具を支軸を中心に止着位置からケース本体の挿通用孔と合致する位置にまで回動して、裏側カバーを開かないかぎり行うことができず、不正操作に対し安全性が高い。
【０００９】
また、遊技機の検査時や故障時の部品の交換等の際には、施錠状態において、キーによりシリンダー錠を解錠操作することで、ケース本体の掛合用スリットと掛け金との掛合を解除し、蓋体をケース本体から取り外し、さらに、裏側カバー押さえ止め具を支軸を中心に止着位置からケース本体の挿通用孔と合致する位置にまで回動し、ケース本体を取り外して裏側カバーを開くようにすればよい。
この施錠装置による裏側カバーの施錠、解錠操作は、ケース体と蓋体との施錠、解錠をシリンダー錠のキー操作で行うことと、裏側カバー押さえ止め具を、支軸を中心にケース本体の挿通用孔と合致する位置と止着位置との間で回動操作するといった単純な操作によって行うことができることから、熟練を要しない。
この施錠装置は、コンパクトであって場所を取らず、遊技機の背面での占有面積等も僅かでよい。また、この施錠装置は、例えば、前面枠と裏カバーを裏側カバー押さえ止め具によって押さえ止めするようにした既存の遊技機を特に改造することなく、そのままの遊技機に装着することができ、不正操作に対し安全性の高い遊技機を安価に提供することができることになる。
【００１０】
なお、この考案の施錠装置とともに、前記した封止シールを用いてもよいことはいうまでもない。この場合、遊技機の検査時や故障の際の部品の交換等の際に、施錠装置を解錠し、裏側カバーによる機器や部品を覆った状態を解除した後、既に貼り付けられた封止シールを剥がし、検査や部品の交換等の所定の作業を行い、裏側カバーによる機器や部品を覆った状態に戻した後、検査や部品の交換等を行った日時、内容を記載した新しい封止シールで再封止し、この考案の施錠装置により施錠するようにすればよい。
【考案を実施するための最良の形態】
【００１１】
以下、考案を実施するための最良の形態を示し、さらに詳しくこの考案について説明する。もちろんこの考案は以下の形態によって限定されるものではない。
図１は、この考案の施錠装置を備えた遊技機の一例であって、遊技機としてのパチンコ機の前面枠を本体枠に対し開放した状態を示す概略斜視図である。図２は、この考案の施錠装置の一実施の形態を示す分解斜視説明図である。
【００１２】
図１に示すように、本体枠１に対し前面枠２が蝶番によって水平方向に開閉可能となっており、前面枠２の自由端側の背面には、前面枠２の施錠装置３が取り付けられている。該施錠装置３の鉤部４、４が本体枠１の内側に設けられた受け金具（図示せず）と係合することで、前面枠２が本体枠１に対し施錠可能となっており、一方、キー操作により、鉤部４、４と受け金具との係合を解除して解錠することで、前面枠２が本体枠１に対し開放できるようになっている。
【００１３】
前面枠２には、遊技盤５が取り付けられている。遊技盤５には、主制御基板ボックス６の他、図示していないが、可変画像表示装置、入賞装置、ランプ制御基板ボックス、音声制御基板ボックス、中継基板、接続端子板、球受け樋、賞球払出装置等が配設されている。主制御基板ボックス６内には、勝率を制御するＲＯＭ、パチンコ機の遊技制御用ＣＰＵ等が設けられている。球受け樋、賞球払出装置（いずれも図示せず）等は、背面側から見て右方寄りに配設されている。
前面枠２の下方には、球発射装置７、球発射装置制御基板ボックス８が配設されている。
【００１４】
そして、遊技盤５には、裏側カバー９が蝶番（図示せず）によって水平方向に開閉可能となっている。裏側カバー９には、賞球タンク１０が設けられており、前記球受け樋に賞球を供給するようになっている。図１における裏側カバー９は、可変画像表示装置、入賞装置、ランプ制御基板ボックス、音声制御基板ボックス、中継基板、接続端子板等を覆うサイズとなっている。裏側カバー９は、その上端部右方において、図２に示す施錠装置Ａによって、その閉止位置で前面枠２に対して施錠されている。施錠装置Ａの施錠・解錠は、キー操作によって行われる。裏側カバー９の自由端側の平坦板部１２は、逆Ｌ字状の裏側カバー押さえ板１３によって係止されている。裏側カバー押さえ板１３を、図１の状態から時計方向に９０゜回動させることで、裏側カバー９の押さえが解除されるようになっている。また、裏側カバー９の自由端側の上下位置には、前面枠２に係着するための係着具１４、１４が設けられている。係着具１４としては、例えば、ナイラッチ（登録商標）が採用できる。このような係着具１４を用いると、裏側カバー９を開放するのに手間がかかることから、不正操作防止にとって有効となる。なお、図１の主制御基板ボックス６は、図示していないが裏側カバー９が開放されない限り、開くことができない構造となっている。そのような構造としては、例えば、裏側カバー９に突起を、主制御基板ボックス６側に凹部を設け、裏側カバー９が閉止された時、突起と凹部が係合するようにしたものが採用できる。裏側カバー９には、図示していないが、放熱用に通風孔が形成されている。
【００１５】
施錠装置Ａは、裏側カバー９をその閉止位置で開くことができないように施錠するものであって、施錠装置Ａによって、少なくとも裏側カバー９に覆われた可変画像表示装置、入賞装置、ランプ制御基板ボックス、音声制御基板ボックス、中継基板、接続端子板等への不正操作が防止されることになる。
【００１６】
施錠装置Ａは、図２、図３に示されているように、概略、底壁部材１６とこれに直交する４つの側壁部材１７ａ、１７ｂ、１７ｃ、１７ｄを有し、側壁部材１７ａ、１７ｂ、１７ｃ、１７ｄの後端縁が開口部となるケース本体１８と、ケース本体１８の開口部を塞ぐ蓋体１９とからなり、ケース本体１８の開口部を形成する対向する一対の平行な側壁部材１７ａ、１７ｃに掛け金２５との掛合用スリット２０、２０がそれぞれ穿設され、底壁部材１６には、遊技機の前面枠の裏側に設けられた裏側カバー押さえ止め具２１（図４参照）の挿通用孔２２が穿設されており、蓋体１９の錠取着用板部２３に取着されたシリンダー錠２４の錠軸２４ａが蓋体１９の内側に突出し、錠軸２４ａに掛け金２５が固定されてなる構造である。ケース本体１８に蓋体１９を被せ、シリンダー錠２４のキー溝２４ｂにキー２６を挿入し、キー操作して、錠軸２４ａを施錠位置まで回動させ、掛け金２５を掛合用スリット２０、２０に掛合させ、キー２６をシリンダー錠２４から抜き取ることで、蓋体１９をケース本体１８に取り付けることができるようになっている。蓋体１９をケース本体１８から取り外すには、シリンダー錠２４のキー溝２４ｂにキー２６を挿入し、キー操作して、錠軸２４ａを解錠位置まで回動させ、掛け金２５と掛合用スリット２０、２０との掛合を解除すればよい。
【００１７】
ケース本体１８は、一枚の金属板を折り曲げ加工して形成されたものとして示されているが、底壁部材１６、側壁部材１７ａ、１７ｂ、１７ｃ、１７ｄを溶接して形成してもよい。底壁部材１６から各側壁部材１７ａ、１７ｂ、１７ｃ、１７ｄの後端縁までの前後幅は同一で、ケース本体１８は、各側壁部材の後端縁が開口された直方体状となっている。ケース本体１８のサイズは、裏側カバー押さえ止め具２１をケース本体１８の底壁部材１６側から収納して、裏側カバー押さえ止め具２１を前面枠に設けられた支軸を中心に回動することができ、しかも、蓋体１９を被せた時に、掛け金２５をケース本体１８内で錠軸２４ａを中心に回動させ、ケース本体１８の掛合用スリット２０、２０に掛合させて、蓋体１９をロックするのに支障がないように設定されている。側壁部材１７ａ、１７ｃの掛合用スリット２０、２０は、底壁部材１６内側から等距離の位置に形成されており、掛合用スリット２０、２０の幅は掛け金２５の厚さよりも稍大きく、その長さは、蓋体１９を被せてシリンダー錠２４の掛け金２５がケース本体１８内で錠軸２４ａを中心に回動するのに支障がないように設定されている。
底壁部材１６には、遊技機の前面枠９の裏側に設けられた裏側カバー押さえ止め具２１の挿通用孔２２の上下斜め位置に長円状の孔２７、２７が穿設されている。この長円状の孔２７、２７に、裏側カバーに後方に向けて突設された突起２８、２８（図４参照）が遊嵌されることで、ケース本体１８を裏側カバー９に位置決めして止着できることになる。ケース本体１８の裏側カバー９への止着により、突起２８、２８は、底壁部材１６から後方に突出し、裏側カバー押さえ止め具２１を支軸２９（図４参照）を中心に回動できる範囲を設定するストッパーとして機能する。なお、図３（ａ）は、ケース本体１８の上面側の側壁部材１７ａを除去した状態の平面図である。
【００１８】
蓋体１９は、一枚の金属板を折り曲げ加工して形成されたものとして示されているが、錠取着用板部２３、側壁板部３２ａ、３２ｂ、３２ｃ、３２ｄを溶接して形成してもよい。錠取着用板部２３は、ケース本体１８の開口部を塞ぐことができるサイズとなっている。錠取着用板部２３には、錠挿通用孔３３が穿設されており、シリンダー錠２４の錠取着用板部２３への取着は、シリンダー錠２４を錠挿通用孔３３に錠軸２４ａを先にして挿通し、蓋体１９の内側に出た筒部２４ｃの外周に形成されたネジ山に取付ナット３４を螺合することで行われる。
【００１９】
シリンダー錠２４の錠軸２４ａには、板状の掛け金２５が、その中央の嵌合孔２５ａで嵌め合わされ、止め輪３５によって固定されている。掛け金２５には、突起２５ｂが形成されており、シリンダー錠２４の後端面側に設けられた回動規制ストッパー２４ｄに当接して、錠軸２４ａを中心とする回動角度が規制され、施錠位置と解錠位置との間で回動可能とされている。掛け金２５の回動角度は、横方向を向いた解錠角度位置と、縦方向を向いた施錠角度位置との間のほぼ９０゜に設定されており、キー２６をシリンダー錠２４のキー溝２４ｂに挿入し、キー２６の施錠・解錠操作により、掛け金２５が回動し、ケース本体１８の上下の側壁板部１７ａ、１７ｃに設けられた掛合用スリット２０、２０より外に出没可能となっている。なお、図３（ｂ）は、蓋体１９の上面側の側壁板部３２ａを除去した状態の平面図である。
【００２０】
図４は、施錠装置Ａが未装着であって、前面枠２に対し裏側カバー９が閉止された状態を示す部分拡大斜視図である。
前面枠２に対し裏側カバー９が閉止された状態において、裏側カバー９の凹状段部３６の底部３６ａに形成された挿通用孔３７を通って、前面枠２から後方に延設された支軸２９を中心に回動可能とされた裏側カバー押さえ止め具２１と、該裏側カバー押さえ止め具２１の時計方向への回動を阻止する回動阻止板３８とが凹状段部３６の内側へ突出している。裏側カバー押さえ止め具２１は、前面枠２から後方に突出した支軸２９にネジ３９で止められている。裏側カバー押さえ止め具２１は、押さえ部２１ａと取手部２１ｂが設けられたバタフライ状をしており、取手部の右側をやや重くして裏側カバー押さえ止め具２１の左右のバランスを意識的に崩しておくことで、支軸２９を中心に自然と時計方向に回動し、取手部の左側が回動阻止板３８に当接するようになっている。このため、前面枠２に対し裏側カバー９を閉める際、裏側カバー押さえ止め具２１が裏側カバー９の挿通用孔３７にスムーズに通過することになる。図５は、前面枠２に対し裏側カバー９が閉止された状態を示す背面側から見た正面図である。そして、図５において、裏側カバー押さえ止め具２１の取手部２１ｂを手で持って、前面枠２の支軸２９を中心に反時計方向に約９０゜回動すれば、前面枠２に対し裏側カバー９を開くことができなくなる（図５の２点鎖線参照）。裏側カバー９の突起２８、２８は、挿通用孔３７の上下斜めで支軸２９に対し点対称の位置に後方に向けて突設されている。この突起２８、２８は、裏側カバー押さえ止め具２１の支軸２９を中心とする反時計方向のそれ以上の回動を規制するストッパーとして機能するとともに、ケース本体１８を裏側カバー９の凹状段部３６に装着する際の位置決めとして機能することから、かかる機能を果たす長さとなっている。
【００２１】
そして、図４に示すような前面枠２に対し、裏側カバー９が閉止され、裏側カバー押さえ止め具２１と、回動阻止板３８とが凹状段部３６の内側へ突出した状態において、図６に示すように、ケース本体１８の底壁部材１６を裏側カバー９の凹状段部３６に向け、裏側カバー押さえ止め具２１と、回動阻止板３８を底壁部材１６の挿通用孔２２に挿通させるとともに、裏側カバー９に突設された突起２８、２８を底壁部材１６の孔２７、２７に遊嵌させ、凹状段部３６の底部３６ａにケース本体１８の底壁部材１６を当接させる。図７は、裏側カバー９の凹状段部３６の底部３６ａにケース本体１８の底壁部材１６が当接した状態を示す。そして、支軸２９を中心に、裏側カバー押さえ止め具２１を反時計方向に回動させ、ケース本体１８を裏側カバー９を介して、前面枠２に止着する（図７の２点鎖線参照）。図８は、ケース本体１８が裏側カバー９を介して前面枠２止着された状態を示す。
【００２２】
次いで、ケース本体１８の開口部を蓋体１９で覆い、シリンダー錠２４のキー溝２４ｂにキー２６を挿入し、キー２６を施錠方向（反時計方向）に回動させると、掛け金２５がシリンダー錠２４の錠軸２４ａを中心に回動し、ケース本体１８の掛合用スリット２０、２０に掛合し、蓋体１９とケース本体１８が施錠される（図９参照）。
その結果、裏側カバー押さえ止め具２１は、ケース本体１８と蓋体１９で囲まれたことになり、裏側カバー押さえ止め具２１にアクセスすることができない。そのため、遊技機の背面に配設された機器や部品への不正操作は、例え、前面枠２の施錠装置を不正に解錠し、前面枠２を開くことができたとしても、合い鍵等を入手して、シリンダー錠２４の解錠操作を行なって、蓋体１９をケース本体１８から取り外し、さらに、裏側カバー押さえ止め具２１を支軸を中心に止着位置からケース本体１８の挿通用孔２２と合致する位置にまで回動し、裏側カバー９を開かないかぎり行うことができないことになる。この施錠装置Ａを装着することで、裏側カバーの内側に配設された機器や部品への不正操作を防止できることになり、安全性が高い。
【００２３】
そして、不正操作を行うには、合い鍵等によるシリンダー錠２４の解錠を行わない限りは、施錠装置Ａを破壊するか、または、裏側カバー９を破壊することにより行うしかなく、このような場合は、不正操作が行われたことが容易に発見できる。
【００２４】
遊技機の検査時や故障時の部品の交換等の際には、施錠状態において、キー２６によりシリンダー錠２４を解錠操作することで、ケース本体１８の掛合用スリット２０、２０と掛け金２５との掛合を解除し、蓋体１９をケース本体１８から取り外す。次いで、裏側カバー押さえ止め具２１を、支軸を中心にケース本体の挿通用孔と合致する位置にまで回動させ、ケース本体１８を取り外す。そして、裏側カバー押さえ板１３を、図１の状態から時計方向に９０゜回動し、裏側カバー９の押さえを解除させるとともに、係着具１４、１４を後方に引っ張って前面枠２との係着を解除し、裏側カバーを開放する。裏側カバー９が開かれた状態において、必要な検査、故障した部品の交換等を行えばよい。
【００２５】
この施錠装置による裏側カバー９の施錠、解錠操作は、ケース本体１８と蓋体１９との施錠、解錠をシリンダー錠２４のキー操作で行うことと、裏側カバー押さえ止め具２１を支軸を中心に、ケース本体１８の挿通用孔と合致する位置と止着位置との間で回動操作するといった単純な操作によって行うことができることから、熟練を要しない。
この施錠装置は、コンパクトであって場所を取らず、遊技機の背面での占有面積等も僅かでよい。また、この施錠装置は、例えば、前面枠と裏カバーを裏側カバー押さえ止め具２１によって押さえ止めするようにした既存の遊技機を特に改造することなく、そのままの遊技機に装着することができ、不正操作に対し安全性の高い遊技機を安価に提供することができることになる。
【００２６】
図１に示す施錠装置においては、ケース本体、蓋体を金属としたが、これに限られず、プラスチックを使用してもよく、その場合は、射出成形等によってケース本体、蓋体を製造すればよい。
また、シリンダー錠も前述したものに限られず、各種のものが採用できる。例えば、シリンダー錠として、施錠時のキー操作角度では、キーをキー溝から抜き取ることができるが、解錠時のキー操作角度では、キーをキー溝から抜き取ることができないものであってもよい。このようなシリンダー錠では、施錠時以外は、蓋体にキーが付けられたままであることから、施錠状態か解錠状態かの確認が容易である。
【００２７】
施錠装置Ａによって施錠される裏側カバーは、図１に示されたカバー範囲のものに限られず、主制御基板ボックスをも覆う裏側カバーであってもよい。逆に、裏側カバーは、図１に示されたカバー範囲よりも狭いものであってもよい。この場合は、施錠装置Ａの設置位置を変更すればよい。
【００２８】
図１においては、施錠装置によって施錠する裏側カバーを、蝶番で水平方向に回動可能としたものとして説明したが、これに限られず、例えば、裏側カバーを遊技盤５から完全に取り外すようにした着脱構造であってもよい。
【００２９】
また、図１において、遊技盤に主制御基板ボックス、可変画像表示装置、入賞装置、ランプ制御基板ボックス、音声制御基板ボックス、中継基板等を配設したものとして説明したが、これに限られず、例えば、遊技盤に蝶番によって水平方向に回動可能な制御支持盤を設け、該制御支持盤に主制御基板ボックス、入賞装置、ランプ制御基板ボックス、音声制御基板ボックス、中継基板等を配設するようにしたものであってもよい。
【００３０】
また、図１において、裏側カバーに賞球タンクを設けたものとして説明したが、これに限られず、例えば、遊技盤または前面枠に蝶番によって水平方向に回動可能とした機構板を設け、機構板に賞球タンク、球受け樋等を配設するようにしたものを用いてもよい。
【００３１】
また、この考案の施錠装置は、図２等に記載した構造に限定されるものではなく、種々の構造が採用可能である。
【００３２】
図１０は、この発明の施錠装置の他の形態を示す分解斜視説明図である。
この施錠装置Ｂは、蓋体４０の左右の側壁板部を省略したものである。ケース本体４１の左右の側壁部材４２、４２には、蓋体４０の左右への移動を防止するストッパー４２ａ、４２ａを設け、蓋体４０の錠取着用板部４３の左右の側縁に、前記ストッパー４２ａ、４２ａと係合する切欠４３ａ、４３ａを設けたものとなっている。その他は、図２に示す施錠装置と同様なことから、同一番号を付し、詳細な説明は省略する。
【００３３】
図１１は、この発明の施錠装置のさらに他の形態を示す分解斜視説明図である。
この施錠装置Ｃは、ケース本体５０の上面の側壁部材５１の左右の端縁からそれぞれ下方に向かうフランジ５１ａ、５１ａを設け、下面の側壁部材５２の左右の端縁からそれぞれ上方に向かうフランジ５２ａ、５２ａを設け、蓋体５３の左右の側壁板部５４、５４を延長したものである。その他は、図２に示す施錠装置と同様なことから、同一番号を付し、詳細な説明は省略する。
【００３４】
図１２は、この発明の施錠装置のさらに他の形態を示す分解斜視説明図である。
この施錠装置Ｄは、ケース本体６０の上面の側壁部材６１の後端縁から上方に向け断面逆Ｌ字状にフランジ６１ａを、下面の側壁部材６２の後端縁から下方に向け断面Ｌ字状にフランジ６２ａを設け、左右の側壁部材６３、６３には、蓋体６４の左右への移動を防止するストッパー６３ａ、６３ａを設け、蓋体６４は、錠取着用板だけとし、その左右の側縁に、前記ストッパー６３ａ、６３ａと係合する切欠６４ａ、６４ａを設けたものとなっている。その他は、図２に示す施錠装置と同様なことから、同一番号を付し、詳細な説明は省略する。
【００３５】
図１３は、この発明の施錠装置のさらに他の形態を示す正面図である。
この施錠装置Ｅは、ケース本体７０を、長円状の底壁部材７１に筒状側壁部材７２が形成された筒状体とし、蓋体７３を、長円状の錠取着用板部７４に筒状側壁板部７５が形成された筒状体としたものである。その他は、図２に示す施錠装置と同様なことから、同一番号を付し、詳細な説明は省略する。
この施錠装置Ｅは、遊技機の裏側カバーの凹状段部が長円状となっているか、または、凹状段部のない平面部となっているものに使用すればよい。
【００３６】
そして、この考案の施錠装置は、図１に示した構造のパチンコ機に限られず各種の構造のパチンコ機に使用することができることはもちろん、パチンコ機以外の各種の遊技機に使用することができる。
【図面の簡単な説明】
【００３７】
【図１】この考案の施錠装置を備えた遊技機の一例であって、遊技機としてのパチンコ機の前面枠を本体枠に対し開放した状態を示す概略斜視図である。
【図２】図１に示す施錠装置の一実施の形態を示す分解斜視説明図である。
【図３】図２に示す施錠装置の（ａ）はケース本体の上面側の側壁部材を除去した状態の平面図、（ｂ）は蓋体の上面側の側壁板部を除去した状態の平面図である。
【図４】図１に示す遊技機の前面枠と裏側カバーの関係構造を示す部分拡大斜視説明図である。
【図５】図４に示す遊技機の部分正面図である。
【図６】図２に示す施錠装置を遊技機に装着する際の操作の１ステップを示す部分拡大斜視説明図である。
【図７】図６における遊技機の部分正面図である。
【図８】図２に示す施錠装置を遊技機に装着する際の操作の他のステップを示す部分拡大斜視説明図である。
【図９】図２に示す施錠装置を遊技機に装着し、施錠状態を示す部分拡大斜視説明図である。
【図１０】この考案の施錠装置の他の実施の形態を示す分解斜視説明図である。
【図１１】この考案の施錠装置のさらに他の実施の形態を示す分解斜視説明図である。
【図１２】この考案の施錠装置のさらに他の実施の形態を示す分解斜視説明図である。
【図１３】この考案の施錠装置のさらに他の実施の形態を示す説明図である。
【符号の説明】
【００３８】
Ａ  施錠装置
２  前面枠
９  裏側カバー
１８  ケース本体
１９  蓋体
２０  掛合用スリット
２１  裏側カバー押さえ止め具
２２  挿通用孔
２４  シリンダー錠
２５  掛け金
【図１】
0003111663.tif 000003
【図２】
0003111663.tif 000004
【図３】
0003111663.tif 000005
【図４】
0003111663.tif 000006
【図５】
0003111663.tif 000007
【図６】
0003111663.tif 000008
【図７】
0003111663.tif 000009
【図８】
0003111663.tif 000010
【図９】
0003111663.tif 000011
【図１０】
0003111663.tif 000012
【図１１】
0003111663.tif 000013
【図１２】
0003111663.tif 000014
【図１３】
0003111663.tif 000015